(57)【要約】【課題】原稿の読取を円滑に開始させることができる画像形成装置を提供する。【解決手段】画像を形成することが可能な記録紙のサイズ、及び、設定された倍率に基づいて、読取可能な原稿のサイズを判定し（ステップＳ１０５及びＳ１０６）、複数種類の原稿のサイズのうち、読取可能な原稿のサイズのみを選択可能な状態で表示部に表示させる（ステップＳ１０７）。これにより、読取可能でない原稿のサイズが誤って選択されることがないので、原稿の読取を円滑に開始させることができる。【選択図】  図５
2012147257.tif 000002
【特許請求の範囲】
【請求項１】
セット位置に置かれている原稿の画像を読み取ることにより画像データを取得し、当該画像データに基づく画像を記録紙に形成することが可能な画像形成装置であって、
取得した画像データに基づく画像を記録紙に形成する際の倍率を設定するための倍率設定部と、
前記画像形成装置により画像を形成することが可能な記録紙のサイズ、及び、前記倍率設定部により設定された倍率に基づいて、読取可能な原稿のサイズを判定する原稿サイズ判定部と、
前記画像形成装置により読取可能な複数種類の原稿のサイズを表示部に表示させ、ユーザによる原稿のサイズの選択を受け付ける原稿サイズ選択部とを備え、
前記原稿サイズ選択部は、前記原稿サイズ判定部により読取可能と判定された原稿のサイズのみを選択可能な状態にすることを特徴とする画像形成装置。
【請求項２】
前記原稿サイズ判定部により読取可能と判定される原稿のサイズがない場合に、前記画像形成装置により画像を形成することが可能な複数種類の記録紙のサイズを前記表示部に表示させ、ユーザによる記録紙のサイズの選択を受け付ける記録紙サイズ選択部を備えることを特徴とする請求項１に記載の画像形成装置。
【請求項３】
前記表示部は、白黒表示により表示を行なうものであり、
前記原稿サイズ選択部は、前記画像形成装置により読取可能な複数種類の原稿のサイズのうち、前記原稿サイズ判定部により読取可能と判定されたサイズ以外のサイズを選択するためのキーを、網掛け表示にて前記表示部に表示させることを特徴とする請求項１又は２に記載の画像形成装置。
【請求項４】
前記表示部は、カラー表示により表示を行なうものであり、
前記原稿サイズ選択部は、前記画像形成装置により読取可能な複数種類の原稿のサイズのうち、前記原稿サイズ判定部により読取可能と判定されたサイズ以外のサイズを選択するためのキーを、グレーアウト表示にて前記表示部に表示させることを特徴とする請求項１又は２に記載の画像形成装置。
【発明の詳細な説明】
【技術分野】
【０００１】
本発明は、セット位置に置かれている原稿の画像を読み取ることにより画像データを取得し、当該画像データに基づく画像を記録紙に形成することが可能な画像形成装置に関するものである。
【背景技術】
【０００２】
複写機又は複合機などの画像形成装置の中には、ユーザが原稿のサイズを選択するための画面を表示部に表示させ、ユーザにより選択されたサイズで原稿の画像を読み取ることができるものがある（例えば、特許文献１参照）。このような画像形成装置では、例えばセット位置に置かれている原稿のサイズが定形サイズでない場合などであっても、ユーザが所望のサイズを選択して原稿の画像を読み取らせることができる。
【先行技術文献】
【特許文献】
【０００３】
【特許文献１】特開２００１−１６９０４９号公報
【発明の概要】
【発明が解決しようとする課題】
【０００４】
しかしながら、上記のような画像形成装置では、ユーザにより選択された原稿のサイズに対応する記録紙が、当該画像形成装置に収容されていない場合が考えられる。このような場合には、例えば原稿のサイズを再選択するための画面、又は、記録紙のサイズを選択するための画面が表示部に表示され、ユーザによる選択操作に基づいて原稿の読取が開始されるようになっている。そのため、原稿の読取を円滑に開始させることができない場合があった。
【０００５】
特に、画像を記録紙に形成する際の倍率を設定することができるような画像形成装置においては、ユーザにより選択された原稿のサイズと設定された倍率とに基づいて、対応する記録紙のサイズを決定することができる。しかし、このような場合には、対応する記録紙のサイズがユーザにとって分かりにくく、画像形成装置に収容されていない記録紙に対応する原稿のサイズが選択される可能性が高いため、上記のような問題が生じやすい。
【０００６】
本発明は上記実情に鑑みてなされたものであり、原稿の読取を円滑に開始させることができる画像形成装置を提供することを目的とする。
【課題を解決するための手段】
【０００７】
本発明に係る画像形成装置は、セット位置に置かれている原稿の画像を読み取ることにより画像データを取得し、当該画像データに基づく画像を記録紙に形成することが可能な画像形成装置であって、取得した画像データに基づく画像を記録紙に形成する際の倍率を設定するための倍率設定部と、前記画像形成装置により画像を形成することが可能な記録紙のサイズ、及び、前記倍率設定部により設定された倍率に基づいて、読取可能な原稿のサイズを判定する原稿サイズ判定部と、前記画像形成装置により読取可能な複数種類の原稿のサイズを表示部に表示させ、ユーザによる原稿のサイズの選択を受け付ける原稿サイズ選択部とを備え、前記原稿サイズ選択部は、前記原稿サイズ判定部により読取可能と判定された原稿のサイズのみを選択可能な状態にすることを特徴とする。
【０００８】
このような構成によれば、画像を形成することが可能な記録紙のサイズ、及び、設定された倍率に基づいて、読取可能な原稿のサイズを判定し、複数種類の原稿のサイズのうち、読取可能な原稿のサイズのみを選択可能な状態で表示部に表示させることができる。したがって、読取可能でない原稿のサイズが誤って選択されることがないので、原稿の読取を円滑に開始させることができる。
【０００９】
前記画像形成装置は、前記原稿サイズ判定部により読取可能と判定される原稿のサイズがない場合に、前記画像形成装置により画像を形成することが可能な複数種類の記録紙のサイズを前記表示部に表示させ、ユーザによる記録紙のサイズの選択を受け付ける記録紙サイズ選択部を備えることが好ましい。
【００１０】
このような構成によれば、読取可能と判定される原稿のサイズがない場合には、表示部に表示された複数種類の記録紙のサイズの中からユーザが適切なサイズの記録紙を選択して、原稿の読取を開始させることができる。したがって、読取可能と判定される原稿のサイズがない場合であっても、原稿の読取を円滑に開始させることができる。
【００１１】
前記表示部は、白黒表示により表示を行なうものであり、前記原稿サイズ選択部は、前記画像形成装置により読取可能な複数種類の原稿のサイズのうち、前記原稿サイズ判定部により読取可能と判定されたサイズ以外のサイズを選択するためのキーを、網掛け表示にて前記表示部に表示させるものであってもよい。
【００１２】
このような構成によれば、白黒表示により表示を行なう表示部において、読取可能と判定されたサイズ以外のサイズを選択するためのキーを、網掛け表示にて表示させることにより、当該キーが選択できないことをユーザに分かりやすくすることができる。
【００１３】
前記表示部は、カラー表示により表示を行なうものであり、前記原稿サイズ選択部は、前記画像形成装置により読取可能な複数種類の原稿のサイズのうち、前記原稿サイズ判定部により読取可能と判定されたサイズ以外のサイズを選択するためのキーを、グレーアウト表示にて前記表示部に表示させるものであってもよい。
【００１４】
このような構成によれば、カラー表示により表示を行なう表示部において、読取可能と判定されたサイズ以外のサイズを選択するためのキーを、グレーアウト表示にて表示させることにより、当該キーが選択できないことをユーザに分かりやすくすることができる。
【図面の簡単な説明】
【００１５】
【図１】本発明の一実施形態に係る画像形成装置の内部構成を示す概略断面図である。
【図２】画像形成装置の電気的構成を示したブロック図である。
【図３】ＣＰＵの具体的構成を示した機能ブロック図である。
【図４Ａ】ＬＣＤに表示される原稿サイズ選択画面の一例を示した図である。
【図４Ｂ】ＬＣＤに表示される記録紙サイズ選択画面の一例を示した図である。
【図５】原稿をセットして読取を開始させる際のＣＰＵによる処理の一例を示したフローチャートである。
【発明を実施するための形態】
【００１６】
図１は、本発明の一実施形態に係る画像形成装置１の内部構成を示す概略断面図である。以下に説明する画像形成装置１の具体的構成については、その構成に限定されるものではない。
【００１７】
本実施形態における画像形成装置１は、例えば、原稿搬送装置２により自動的に供給される原稿の画像を画像読取部３で１枚ずつ読み取り、その原稿の画像データに基づいて記録紙Ｐに画像を形成する複写機である。当該画像形成装置１には、筺体１ａ内に、上記画像読取部３の他、画像形成部４及び給紙部５などが備えられており、当該筺体１ａの上面に原稿搬送装置２が設けられている。
【００１８】
原稿搬送装置２は、原稿トレイ２ａを備えており、当該原稿トレイ２ａ上に原稿をセットすることができるようになっている。原稿搬送装置２は、ピックアップローラ２ｂ及び分離手段（分離ローラとリタードローラの対）２ｃにより、原稿トレイ２ａ上にセットされた原稿を１枚ずつ送り出す。送り出された原稿は、複数の搬送ローラ２ｄ、２ｅ、２ｆにより原稿搬送路２ｇを搬送され、当該原稿搬送路２ｇの途中に位置する読取位置２ｋにおいて、画像読取部３により画像が読み取られる。画像が読み取られた後の原稿は、排出ローラ２ｈにより原稿排出トレイ２ｉ上に順次排出される。
【００１９】
画像読取部３には、ＣＣＤ(Charge Coupled Devices)が設けられている。画像読取部３は、静止した状態で読取位置２ｋに光を照射し、原稿からの反射光をＣＣＤで受光することによって、原稿搬送装置２により搬送される原稿を読み取ることができる。また、画像読取部３は、主走査方向に直交する水平方向（副走査方向）に光源を移動させながらガラス板３ｄ上に置かれた原稿に光を照射し、原稿からの反射光をＣＣＤで受光することによって、原稿を読み取ることもできる。
【００２０】
原稿搬送装置２により１枚ずつ搬送される原稿を読取位置２ｋで読み取る場合には、ＣＣＤで原稿からの反射光を受光することにより主走査が行われるとともに、読取位置２ｋを原稿が搬送されることにより副走査が行われる。一方、ガラス板３ｄに置かれた原稿を読み取る場合には、ＣＣＤで原稿からの反射光を受光することにより主走査が行われるとともに、光源が副走査方向に移動することにより副走査が行われる。
【００２１】
上記ガラス板３ｄは、筺体１ａの上面に形成されており、原稿搬送装置２は、筺体１ａの上面に対して上下に開閉可能に取り付けられている。したがって、ガラス板３ｄ上に置かれた原稿を画像読取部３で読み取る場合には、原稿搬送装置２を閉じることにより、当該原稿搬送装置２とガラス板３ｄとの間に原稿を挟むことができるようになっている。すなわち、原稿搬送装置２は、ガラス板３ｄ上のセット位置に置かれている原稿を押さえるために開閉される開閉カバー１０を構成している。ただし、開閉カバー１０は、原稿搬送装置２により構成されるものに限らず、開閉可能な他のあらゆるカバーを採用することができる。
【００２２】
画像形成部４は、感光体ドラム４ａ、帯電器４ｂ、光書込みユニット４ｃ、現像器４ｄ、転写器４ｅ及び定着器４ｆを備え、電子写真方式により記録紙Ｐに画像を形成する。感光体ドラム４ａの表面には感光体が形成されており、画像形成時には、回転駆動される感光体ドラム４ａの表面が帯電器４ｂにより一様に帯電される。光書込みユニット４ｃは、画像読取部３で読み取った原稿の画像データなどに基づいて、ＬＥＤ(Light-Emitting Diode)又はレーザ光源から光を出力する。帯電器４ｂにより一様に帯電された感光体ドラム４ａの表面には、光書込みユニット４ｃから出力される光で露光されることにより、静電潜像が形成される。
【００２３】
静電潜像が形成された感光体ドラム４ａの表面には、現像器４ｄから供給されるトナーが付着することによりトナー像が形成され、このトナー像が転写器４ｅを用いて記録紙Ｐに転写される。トナー像が転写された記録紙Ｐは、定着器４ｆにより加熱処理及び加圧処理が施された後、排出ローラ４ｇから排出トレイ４ｈ上に排出される。
【００２４】
給紙部５は、記録紙Ｐを収容するための給紙カセット６を備えており、この給紙カセット６内に設けられた支持板９上に、記録紙Ｐを積層した状態で収容することができるようになっている。支持板９は、その第１端部における軸線９ａを中心に回転可能となっており、第１端部とは反対側の第２端部が圧縮ばね９ｂによって上方へ付勢されることにより、最上部の記録紙Ｐが給紙ローラ２１に対して押圧される。給紙ローラ２１に対向する位置には、例えば摩擦部材としての分離パッド（図示せず）が配置されており、給紙ローラ２１が回転駆動されることにより給紙カセット６内から送り出される記録紙Ｐは、上記分離パッドの作用により、記録紙搬送路１２に１枚ずつ送り出される。
【００２５】
記録紙搬送路１２には、１つ又は複数の搬送ローラ１３が設けられている。給紙カセット６から１枚ずつ送り出される記録紙Ｐは、搬送ローラ１３により記録紙搬送路１２内を搬送され、画像形成部４へと送られる。そしてレジストローラ１４により、記録紙Ｐは感光体ドラム４ａの直前で一旦停止され、感光体ドラム４ａに形成されるトナー像を転写させるタイミングに合わせて送り出される。
【００２６】
このように、本実施形態における画像形成装置１は、原稿搬送装置２により搬送される原稿、又は、ガラス板３ｄ上のセット位置に置かれている原稿の画像を読み取ることにより、画像データを取得し、当該画像データに基づく画像を記録紙Ｐに形成することができる。ただし、本発明は、原稿搬送装置２を備えていない画像形成装置にも適用可能である。また、原稿のセット位置は、ガラス板３ｄ上に限らず、他のあらゆる位置に設定することができる。
【００２７】
図２は、画像形成装置１の電気的構成を示したブロック図である。画像形成装置１は、上述の画像読取部３及び画像形成部４などの他、例えばＣＰＵ３１、フラッシュＲＯＭ３２、ＳＤＲＡＭ３３、ＳＲＡＭ３４、モデム３５、ＮＣＵ３６、操作パネル３７、時計回路３８、統合チップセット３９、ＳＤＲＡＭ４０、ネットワークボード４１及び原稿検知センサ５０などを備えている。ＣＰＵ３１、フラッシュＲＯＭ３２、ＳＤＲＡＭ３３、ＳＲＡＭ３４、モデム３５、操作パネル３７、時計回路３８及び統合チップセット３９は、システムバス４２を介して互いにデータを伝送することができる。画像読取部３及び画像形成部４は、統合チップセット３９に接続されている。
【００２８】
ＣＰＵ（Central Processing Unit）３１は、画像形成装置１の動作を制御するための制御部として機能する。フラッシュＲＯＭ（Read-Only Memory）３２、ＳＤＲＡＭ（Synchronous Dynamic Random Access Memory）３３及びＳＲＡＭ（Static Random Access Memory）３４は、いずれもデータを記憶しておくための記憶部である。ＳＤＲＡＭ３３は、例えばＣＰＵ３１の作業領域として用いることができる。ＳＲＡＭ３４は、例えば各種設定データ及びエラー情報などを記憶することができる。本実施形態におけるＳＲＡＭ３４には、例えば画像形成装置１により画像を形成することが可能な記録紙のサイズ、すなわち当該画像形成装置１において使用可能な記録紙のサイズを記憶するための記録紙サイズ記憶部３４１が割り当てられている。
【００２９】
モデム３５は、ＮＣＵ（Network Control Unit）３６を介して公衆電話網（ＰＳＴＮ：Public Switched Telephone Networks）４４に接続されている。ＮＣＵ３６は、公衆電話網４４に接続されている他の外部通信装置との間で信号を送受信することができる。
【００３０】
操作パネル３７は、ユーザが操作を行なうための操作部、及び、ユーザに対して表示を行うための表示部を構成しており、例えば操作キー３７１及びＬＣＤ（Liquid Crystal Display）３７２などを備えている。ユーザは、操作キー３７１を操作することにより、画像形成装置１の動作の設定及び指示などを行なうことができる。ＬＣＤ３７２には、画像形成装置１の動作状況及び設定内容などを表示することができる。ただし、ＬＣＤ３７２がタッチパネルを含む構成であれば、ＬＣＤ３７２に対する操作により、画像形成装置１の動作の設定及び指示などを行なうこともできる。
【００３１】
操作キー３７１には、例えば倍率設定キー３７３、原稿サイズ選択キー３７４及び記録紙サイズ選択キー３７５などが含まれる。倍率設定キー３７３は、原稿のサイズに対する画像形成時の記録紙のサイズの倍率を設定するためにユーザにより操作される。原稿サイズ選択キー３７４は、原稿のサイズを選択する際にユーザにより操作される。記録紙サイズ選択キー３７５は、使用する記録紙のサイズを選択する際にユーザにより操作される。
【００３２】
時計回路３８は、計時を行なうためのタイマ部であり、例えばＲＴＣ（Real Time Clock）などにより構成することができる。統合チップセット３９は、複数の集積回路を組み合わせることにより構成されている。ＳＤＲＡＭ（Synchronous Dynamic Random Access Memory）４０は、統合チップセット３９を介してデータが入出力される記憶部である。
【００３３】
ネットワークボード４１は、ローカルバス４３を介して統合チップセット３９との間でデータを伝送することができる。ネットワークボード４１はＬＡＮ（Local Area Network）４５に接続されており、当該ネットワークボード４１を介して、ＬＡＮ４５に接続されている他の外部通信装置との間でネットワーク通信を行なうことができる。
【００３４】
原稿検知センサ５０は、ガラス板３ｄ上のセット位置に置かれている原稿のサイズを検知するためのものである。この原稿検知センサ５０からの入力信号に基づいて、原稿のサイズが、日本工業規格（ＪＩＳ）におけるＡ３、Ａ４、Ｂ４、Ａ５及びＢ５などといった定形のサイズであるか否かを検知することができる。原稿検知センサ５０は、原稿に向けて照射した光の反射光を受光するか否かに基づいて原稿のサイズを検知する光反射型センサなどにより構成されていてもよいし、他の構成であってもよい。
【００３５】
図３は、ＣＰＵ３１の具体的構成を示した機能ブロック図である。本実施形態における画像形成装置１のＣＰＵ３１は、例えば原稿サイズ判定部５１、倍率設定部５２、原稿サイズ選択部５３及び記録紙サイズ選択部５４として機能する。
【００３６】
倍率設定部５２は、取得した画像データに基づく画像を記録紙に形成する際の倍率を設定する。具体的には、倍率設定部５２は、倍率設定キー３７３の操作により入力された信号に基づいて、当該入力信号に対応する倍率で画像データを拡大又は縮小するよう設定する。
【００３７】
原稿サイズ判定部５１は、読取可能な原稿のサイズを判定する。本実施形態では、記録紙サイズ記憶部３４１に記憶されている画像形成装置１により画像を形成することが可能な記録紙のサイズ、及び、倍率設定部５２により設定された倍率に基づいて、読取可能な原稿のサイズが判定される。例えば、画像形成装置１により画像を形成することが可能な記録紙のサイズに対して、設定された倍率を用いて逆算を行なうことにより、読取可能な原稿のサイズを算出することができる。
【００３８】
原稿サイズ判定部５１による処理の一例として、例えば記録紙のサイズがＡ４であり、倍率が１００％である場合には、読取可能な原稿のサイズとしてＡ４及びＡ４Ｒ（Ａ４横）を算出することができる。記録紙のサイズがＡ４であり、倍率が２００％である場合には、読取可能な原稿のサイズとしてＡ５を算出することができる。記録紙のサイズがＡ４であり、倍率が１３０％である場合には、読取可能な原稿のサイズとしてＡ５及びＢ５を算出することができる。一方、例えば記録紙のサイズがＡ５であり、倍率が２００％である場合には、読取可能な原稿のサイズとして該当するサイズはないと判断できる。
【００３９】
原稿サイズ選択部５３は、画像形成装置１により読取可能な複数種類の原稿のサイズをＬＣＤ３７２に表示させ、ユーザによる原稿のサイズの選択を受け付ける。具体的には、Ａ３、Ａ４、Ｂ４、Ａ５及びＢ５などといった定形の原稿サイズが原稿サイズ選択画面としてＬＣＤ３７２に表示され、ユーザは、表示された定形の原稿サイズのいずれかを原稿サイズ選択キー３７４により選択することができる。
【００４０】
記録紙サイズ選択部５４は、原稿サイズ判定部５１により読取可能と判定される原稿のサイズがない場合に、画像形成装置１により画像を形成することが可能な複数種類の記録紙のサイズをＬＣＤ３７２に表示させ、ユーザによる記録紙のサイズの選択を受け付ける。具体的には、Ａ３、Ａ４、Ｂ４、Ａ５及びＢ５などといった定形の記録紙サイズが記録紙サイズ選択画面としてＬＣＤ３７２に表示され、ユーザは、表示された定形の記録紙サイズのいずれかを記録紙サイズ選択キー３７５により選択することができる。
【００４１】
図４Ａは、ＬＣＤ３７２に表示される原稿サイズ選択画面の一例を示した図である。この例では、定形の原稿サイズとして、Ａ３、Ａ４、Ａ４Ｒ、Ｂ４、Ａ５、Ｂ５、Ｌｅｔｔｅｒ（レター）及びＬｅｇａｌ（リーガル）が原稿サイズ選択画面に表示されている。
【００４２】
本実施形態では、原稿サイズ選択部５３が、原稿サイズ判定部５１により読取可能と判定された原稿のサイズのみを選択可能な状態にするようになっている。図４Ａの例では、Ａ３、Ａ４、Ａ４Ｒ、Ｂ４及びＬｅｔｔｅｒのみが選択可能な状態とされ、Ａ５、Ｂ５及びＬｅｇａｌは選択できない状態となっている。このように、複数種類の原稿のサイズのうち、読取可能な原稿のサイズのみを選択可能な状態でＬＣＤ３７２に表示させることにより、読取可能でない原稿のサイズが誤って選択されることがないので、原稿の読取を円滑に開始させることができる。
【００４３】
この例では、ＬＣＤ３７２がタッチパネルを含む構成であり、ＬＣＤ３７２に表示された原稿サイズ選択キー３７４を操作することにより、原稿のサイズを選択することができるようになっている。すなわち、図４Ａの例では、Ａ３、Ａ４、Ａ４Ｒ、Ｂ４及びＬｅｔｔｅｒに対応する原稿サイズ選択キー３７４の操作のみが受け付けられ、Ａ５、Ｂ５及びＬｅｇａｌに対応する原稿サイズ選択キー３７４の操作は受け付けられないようになっている。
【００４４】
ＬＣＤ３７２としては、例えば白黒表示により表示を行なうもの（モノクロディスプレイ）、又は、カラー表示により表示を行なうもの（カラーディスプレイ）を用いることができる。モノクロディスプレイの場合には、画像形成装置１により読取可能な複数種類の原稿のサイズのうち、原稿サイズ判定部５１により読取可能と判定されたサイズ以外のサイズに対応する原稿サイズ選択キー３７４が、網掛け表示にてＬＣＤ３７２に表示されることが好ましい。ここで、網掛け表示とは、原稿サイズ選択キー３７４の領域を網点などの模様で塗りつぶすこと（ハッチング）を意味している。
【００４５】
カラーディスプレイの場合には、画像形成装置１により読取可能な複数種類の原稿のサイズのうち、原稿サイズ判定部５１により読取可能と判定されたサイズ以外のサイズに対応する原稿サイズ選択キー３７４が、グレーアウト表示にてＬＣＤ３７２に表示されることが好ましい。ここで、グレーアウト表示とは、原稿サイズ選択キー３７４の領域をグレーで表示することを意味している。
【００４６】
このように、原稿サイズ判定部５１により読取可能と判定されたサイズ以外のサイズに対応する原稿サイズ選択キー３７４を網掛け表示又はグレーアウト表示とすることにより、当該原稿サイズ選択キー３７４が選択できないことをユーザに分かりやすくすることができる。ただし、網掛け表示又はグレーアウト表示に限らず、例えば読取可能と判定されたサイズに対応する原稿サイズ選択キー３７４のみがＬＣＤ３７２に表示されるような構成であってもよい。
【００４７】
図４Ｂは、ＬＣＤ３７２に表示される記録紙サイズ選択画面の一例を示した図である。この例では、画像形成装置１により画像を形成することが可能な記録紙サイズとして記録紙サイズ記憶部３４１に記憶されているデータに基づいて、Ａ４、Ｂ４及びＡ３が記録紙サイズ選択画面に表示されている。また、この例における記録紙サイズ選択画面には、手差しで記録紙をセットするための「手差し」が表示されている。
【００４８】
本実施形態では、読取可能と判定される原稿のサイズがない場合には、ＬＣＤ３７２に表示された複数種類の記録紙のサイズの中からユーザが適切なサイズの記録紙を選択して、原稿の読取を開始させることができる。したがって、読取可能と判定される原稿のサイズがない場合であっても、原稿の読取を円滑に開始させることができる。
【００４９】
この例では、ＬＣＤ３７２がタッチパネルを含む構成であり、ＬＣＤ３７２に表示された記録紙サイズ選択キー３７５を操作することにより、記録紙のサイズを選択することができるようになっている。
【００５０】
図５は、原稿をセットして読取を開始させる際のＣＰＵ３１による処理の一例を示したフローチャートである。ガラス板３ｄ上のセット位置に原稿がセットされた場合には、まず、原稿検知センサ５０からの入力信号に基づいて、原稿が定形のサイズであるか否かが判定される（ステップＳ１０１）。
【００５１】
原稿が定形のサイズである場合には（ステップＳ１０１でＹｅｓ）、記録紙サイズ記憶部３４１に記憶されているデータに基づいて、原稿のサイズに対応する定形の記録紙が給紙部５にあるか否かが判定される（ステップＳ１０２）。そして、原稿のサイズに対応する定形の記録紙が給紙部５にある場合には（ステップＳ１０２でＹｅｓ）、原稿が読み取られた後（ステップＳ１０３）、原稿のサイズに対応する記録紙に対して、読み取られた原稿の画像データに基づく画像が形成される（ステップＳ１０４）。
【００５２】
一方、原稿のサイズに対応する定形の記録紙が給紙部５にない場合には（ステップＳ１０２でＮｏ）、ＬＣＤ３７２に記録紙サイズ選択画面が表示され、ユーザにより記録紙のサイズ選択が行なわれる（ステップＳ１０９）。その後、原稿が読み取られ（ステップＳ１０３）、選択されたサイズの記録紙に対して、読み取られた原稿の画像データに基づく画像が形成される（ステップＳ１０４）。
【００５３】
原稿が定形のサイズでない場合には（ステップＳ１０１でＮｏ）、画像形成装置１により画像を形成することが可能な記録紙のサイズ、及び、倍率設定部５２により設定された倍率に基づいて、読取可能な原稿のサイズが算出される（ステップＳ１０５）。そして、読取可能な原稿のサイズがある場合には（ステップＳ１０６でＹｅｓ）、読取可能な原稿のサイズが選択可能な状態でＬＣＤ３７２の原稿サイズ選択画面に表示される（ステップＳ１０７）。その後、ユーザにより原稿のサイズ選択が行なわれ（ステップＳ１０８）、選択されたサイズで原稿が読み取られた後（ステップＳ１０３）、原稿のサイズ及び倍率に対応するサイズの記録紙に対して、読み取られた原稿の画像データに基づく画像が形成される（ステップＳ１０４）。
【００５４】
一方、読取可能な原稿のサイズがない場合には（ステップＳ１０６でＮｏ）、ＬＣＤ３７２に記録紙サイズ選択画面が表示され、ユーザにより記録紙のサイズ選択が行なわれる（ステップＳ１０９）。その後、原稿が読み取られ（ステップＳ１０３）、選択されたサイズの記録紙に対して、読み取られた原稿の画像データに基づく画像が形成される（ステップＳ１０４）。
【符号の説明】
【００５５】
１    画像形成装置
３    画像読取部
４    画像形成部
３１    ＣＰＵ
３７    操作パネル
５０    原稿検知センサ
５１    原稿サイズ判定部
５２    倍率設定部
５３    原稿サイズ選択部
５４    記録紙サイズ選択部
３４１    記録紙サイズ記憶部
３７１    操作キー
３７２    ＬＣＤ
３７３    倍率設定キー
３７４    原稿サイズ選択キー
３７５    記録紙サイズ選択キー
【図１】
2012147257.tif 000003
【図２】
2012147257.tif 000004
【図３】
2012147257.tif 000005
【図４Ａ】
2012147257.tif 000006
【図４Ｂ】
2012147257.tif 000007
【図５】
2012147257.tif 000008